(57)【特許請求の範囲】
【請求項１】
収容空間を有するケースと、
収容空間に収容され、前記収容空間の底部と所定間隔を隔てる、少なくとも１つのコンセントと、
回転させることにより前記ケースの収容空間の底部のねじ孔を貫通するように、前記コンセントと前記収容空間底部との所定間隔内に設けられ、前記コンセントの底部に当接され、前記コンセントと前記ケースとの間を適度な締め付け具合に調整することにより、前記コンセントが電流の通過による微振動によって受ける影響を抑制するようにする、少なくとも１つの調整要素と、
を備えることを特徴とするオーディオ設備に適用されるアーキシャルロッキングシステム。
【請求項２】
前記ケースは、アルミニウム材からなることを特徴とする請求項１に記載のアーキシャルロッキングシステム。
【請求項３】
前記調整要素は、頭部に円錐形構造を具えたねじであることを特徴とする請求項１に記載のアーキシャルロッキングシステム。
【請求項４】
前記頭部に円錐形構造を具えたねじは、前記収容空間底部のねじ孔に合わせて締め込まれ、前記頭部に円錐形構造を具えたねじが前記コンセントの底部に当接され、前記コンセントと前記ケースとの間を適度な締め付け具合に調整することにより、前記コンセントが電流の通過による微振動によって受ける影響を抑制するようにすることを特徴とする請求項３に記載のアーキシャルロッキングシステム。
【発明の詳細な説明】
【技術分野】
【０００１】
本発明は、アーキシャルロッキングシステム（Axial Locking System）に関し、より詳しくは、電源の伝送の安定性を向上させるためのアーキシャルロッキングシステムに関するものである。
【背景技術】
【０００２】
近年、音響設備の領域においては、電源の品質による音声品質への影響がさまざまな面から注目されている。
【０００３】
オーディオ設備に応用される従来の電源コンセント２は、図４に示すように、ケース５０と複数のコンセント６０とを具え、このケース５０は収容空間５１を有し、当該収容空間５１の頂端の両側のそれぞれから凸部５２が延在形成され、当該凸部５２は複数のねじ孔（図示せず）を有している。
【０００４】
このコンセント６０は、両側に翼部６１が設けられ、該翼部６１に複数のねじ孔（図示せず）が設けられている。該翼部６１のねじ孔の設置位置は、前記凸部５２のねじ孔の設置位置に互いに対応しており、ねじ（図示せず）によりコンセント６０の翼部６１がケース５０の凸部５２に固定され、コンセント６０とケース５０における収容空間５１の底部との間に所定の間隔が置かれている。
【０００５】
オーディオ設備のプラグがコンセント６０に差し込まれている場合、コンセント６０とケース５０の収容空間５１の底部との間に所定の間隔が置かれ、当該コンセント６０が中空にぶら下がって当該ケース５０の収容空間５１内に設けられているため、コンセント６０には電流の通過によって微振動が生じ、電源の伝送が不安定になり、オーディオ設備の音質に影響を及ぼしてしまう。
【発明の開示】
【発明が解決しようとする課題】
【０００６】
従って、例えば、オーディオ設備のプラグがコンセントに差し込まれている場合に、当該コンセントが電流の通過によって微振動して、電源の伝送の安定性およびオーディオ設備の音質に影響を及ぼすこと等を回避することは、解決すべき極めて重要な課題である。
【０００７】
本発明は上記課題に鑑みてなされたものであって、その目的は、コンセントの共振を低減させ、電源の伝送の安定性が図られるアーキシャルロッキングシステムを提供することにある。
【課題を解決するための手段】
【０００８】
上記の課題を解決するために、本発明に係るアーキシャルロッキングシステムは、収容空間を有するケースと、収容空間に収容され、前記収容空間の底部と所定間隔を隔てる、少なくとも１つのコンセントと、前記コンセントと前記収容空間底部との所定間隔内に設けられ、前記コンセントの底部に当接され、前記コンセントと前記ケースとの間を適度な締め付け具合に調整することにより、前記コンセントが微振動によって受ける影響を抑制するようにする、少なくとも１つの調整要素と、を備えている。
【０００９】
また、本発明の一態様では、前記ケースは、アルミニウム材からなるようにしてもよい。こうすれば、本発明に係るアーキシャルロッキングシステムにおいて、ノイズの干渉を回避することができる。
【００１０】
また、本発明の一態様では、前記ケースの収容空間の底部には、さらに、少なくとも１つのねじ孔が設けられているようにしてもよい。また、前記調整要素は、頭部に円錐形構造を具えたねじであってもよい。
【００１１】
また、この態様では、前記頭部に円錐形構造を具えたねじは、前記収容空間底部のねじ孔に合わせて締め込まれ、前記頭部に円錐形構造を具えたねじが前記コンセントの底部に当接され、前記コンセントと前記ケースとの間を適度な締め付け具合に調整することにより、前記コンセントが微振動によって受ける影響を抑制するようにしてもよい。
【００１２】
また、上記の課題やその他の課題を解決するために、本発明に係るアーキシャルロッキングシステムは、収容空間を有するケースと、収容空間に収容され、前記収容空間の底部と所定間隔を隔てる、少なくとも１つのコンセントと、前記収容空間の底部に固定され、ちょうど前記コンセントの底部に当接され、前記コンセントと前記ケースとの間が適度な締め付け具合を有することにより（前記コンセントと前記ケースとの間に適度な締め付け具合をもたせることにより）、前記コンセントが微振動によって受ける影響を抑制するようにする、少なくとも１つの支持要素と、を備えている。
【００１３】
また、本発明の一態様では、前記ケースは、アルミニウム材からなるようにしてもよい。
【００１４】
また、本発明の一態様では、前記支持要素は、円柱状としてもよい。
【発明の効果】
【００１５】
従って、本発明に係るアーキシャルロッキングシステムでは、従来のように電源コンセントが電流を通過させることによって微振動を生じさせ、それにより前記コンセントが共振して電源の伝送の安定性に影響を及ぼす問題が効果的に解決されており、本発明における調整要素または支持要素によれば、例えば、オーディオ設備のプラグが前記コンセントに差し込まれている際に、前記コンセントが電流を通過させたために生ずる微振動により、前記コンセントが共振する場合、前記調整要素が適度な締め付け具合に調整され、または前記支持要素が前記コンセントの底部に当接されることにより、コンセントが共振の影響を受けることはなく、電源の伝送の安定性が図られ、オーディオ設備の音質が向上するようになる。
【発明を実施するための最良の形態】
【００１６】
下記は特定の具体的実施形態によって本発明の実施方式を説明するものである。この技芸に習熟した者は明細書に記載の内容によって簡単に本発明のその他の利点や効果を理解できる。本発明に係る実質的な技術内容は、広汎に特許請求の範囲内に定義される。また、本発明は図示の実施の形態に限定されるものではなく、本発明の技術思想の範囲内で数々の変更態様が可能であることは言うまでもない。
【００１７】
［第１の実施形態］
以下の実施形態は、本発明の技術手段をさらに詳しく説明するものである。ただし、本発明の範囲はこれらの実施形態に限定されるものではない。
【００１８】
図１は、本発明の第１の実施形態に係るアーキシャルロッキングシステム（電源コンセント、電源ボックス）の断面図を示す。図１に示すように、本発明の第１の実施形態に係るアーキシャルロッキングシステム１は、コンポーネントステレオ、映像音声プレーヤーなどのオーディオ設備に適用され、主にケース１０、複数のコンセント２０、および複数の調整要素３０（図においては単一コンセントおよび調整要素に含まれる領域についてのみ説明する）を備えている。
【００１９】
前記ケース１０は、収容空間１１を有し、前記収容空間１１の頂端の両側のそれぞれから凸部１２が延在形成され、前記凸部１２は複数のねじ孔（図示せず）を有し、前記収容空間１１の底部にも複数のねじ孔１３が設けられている。
【００２０】
このコンセント２０の両側には翼部２１が設けられ、前記翼部２１には複数のねじ孔（図示せず）が設けられている。前記翼部２１のねじ孔の設置位置は、前記凸部１２のねじ孔の設置位置に対応しており、ねじ（図示せず）によりコンセント２０の翼部２１がケース１０の凸部１２に固定され、コンセント２０とケース１０の収容空間１１の底部との間に所定の間隔ｄがもたされている。
【００２１】
引き続き図１と共に図２（本発明の第１の実施形態に係るアーキシャルロッキングシステムの調整要素の立体図）を参照して説明すると、前記調整要素３０は、頭部に円錐形構造を具えたねじであり、前記収容空間１１の底部のねじ孔１３に合わせて締め込まれることによって、前記コンセント２０と前記収容空間１１との間隔ｄ内に設けられ、かつ前記コンセント２０の底部に当接される。そして、差し込まれるオーディオ設備によって前記コンセント２０が電流を通過させることによって生じる微振動の強弱が異なることに対し、前記調整要素３０を回転させることにより、前記コンセント２０と前記ケース１０との間が適度な締め付け具合に調整され、これにより該コンセント２０が微振動による共振の影響を受けることを免がれ、電源の伝送の安定性が図られ、オーディオ設備の音質が向上するようになる。
【００２２】
また、前記ケース１０は、アルミニウム材からなり、これにより本発明の第１の実施形態に係るアーキシャルロッキングシステム１は、ノイズの干渉を回避することができる。
【００２３】
［第２の実施形態］
図３は、本発明の第２の実施形態に係るアーキシャルロッキングシステム（電源コンセント、電源ボックス）の断面図を示す。本発明の第２の実施形態に係るアーキシャルロッキングシステム１”は、前記第１の実施形態に係るアーキシャルロッキングシステム１とほぼ同じであり、その異なる点は、ケース１０”の収容空間１１”の底部に少なくとも１つの支持要素４０が設けられている点である。この支持要素４０は円柱状であり、前記コンセント２０”の底部に当接されるために前記コンセント２０”と前記収容空間１１”との間に設けられ、当該支持要素４０の長さはちょうど前記コンセント２０”と前記収容空間１１”との間隔ｄ”と同じであり、これにより、オーディオ設備のプラグがコンセント２０”に差し込まれている場合、このコンセント２０”が電流を通過させることによって生じる微振動の強弱に対しては、支持要素４０がコンセント２０”の底部に当接されることによって、コンセント２０”が微振動による共振の影響を受けることを免がれ、電源の伝送の安定性が図られ、オーディオ設備の音質が向上するようになる。ここで注意すべきことは、前記ケース１０”は、さらに、蓋板により該ケース１０”の上方が被覆され、コンセント２０”に合わせた差込孔を具えることにより、アーキシャルロッキングシステム１”の外観がより美しくなる。この点は、本発明の属する技術分野における通常の知識を有する者であれば、上記の記載から容易に想像できるものであるので、ここでは図示及び詳しい説明を省略する。
【００２４】
以上のように、本発明の第１又は第２の実施形態に係るアーキシャルロッキングシステム１又は１”では、例えば、オーディオ設備のプラグがコンセント２０又は２０”に差し込まれている場合、このコンセント２０又は２０”が電流を通過させることによって微振動を生じさせ、それにより当該コンセント２０又は２０”が共振する現象に対して、前記調整要素３０が適度な締め付け具合に調整され、または前記支持要素４０がコンセント２０”の底部に当接されることにより、コンセント２０又は２０”が微振動による共振の影響を受けることがなくなり、電源の伝送の安定性が図られ、オーディオ設備の音質が向上するようになる。
【００２５】
以上の実施形態は、本発明の特徴と効果を説明するためのものにすぎず、本発明の実質的な技術的範囲を限定するものではない。本発明の実質的な技術内容は請求項の記載に広義に定義されるが、請求項に記載の範囲で種々の変更が可能であり、そうした変更例も本発明の範囲に含まれるものである。
【図面の簡単な説明】
【００２６】
【図１】本発明の第１の実施形態に係るアーキシャルロッキングシステムを示した断面図である。
【図２】本発明の第１の実施形態に係る調整要素を示した立体図である。
【図３】本発明の第２の実施形態に係るアーキシャルロッキングシステムを示した断面図である。
【図４】従来の電源コンセントを示した断面図である。
【符号の説明】
【００２７】
１，１”  アーキシャルロッキングシステム、２  電源コンセント、１０，１０”，５０  ケース、１１，１１”，５１  収容空間、１２，１２”，５２  凸部、１３，１３”  ねじ孔、２０，２０”，６０  コンセント、２１，２１”，６１  翼部、３０  調整要素、４０  支持要素。
【図１】
0004616208.tif 000002
【図２】
0004616208.tif 000003
【図３】
0004616208.tif 000004
【図４】
0004616208.tif 000005